(57)【特許請求の範囲】
【請求項１】
複数種類の物理量の経時変化を示すデータを記録する記録部と、少なくとも前記各物理量の１つをｘ座標軸とし当該各物理量の他の１つをｙ座標軸とする平面内または空間内における当該少なくも２つの物理量によって特定される座標点を前記データの記録時間の経過に対応させて複数プロットして得られる波形を表示する表示部と、前記波形の表示に関する制御を行う制御部と、前記波形の表示に関する指示操作を行うための操作部とを備えた波形表示装置であって、
前記表示部は、前記座標点を指し示す標識を表示可能に構成され、
前記制御部は、前記指示操作としての波形描画指示操作がされたときに、その時点において前記表示部に表示されている前記波形を消去させると共に、前記記録時間の経過に伴う前記座標点の移動に追従させて前記標識を所定の速度で移動表示させかつ当該標識の移動軌跡に沿って前記波形を描画させる波形描画処理を実行する波形表示装置。
【請求項２】
前記制御部は、前記波形描画処理の実行時において前記指示操作としての速度変更指示操作がされたときに、前記所定の速度を変更させる請求項１記載の波形表示装置。
【請求項３】
前記制御部は、前記波形描画処理の実行時において前記指示操作としての描画停止指示操作がされたときに、前記標識の移動表示を継続させた状態で当該描画停止指示操作がされた時点以降の前記波形の描画を停止させ、その状態において前記指示操作としての描画再開指示操作がされたときに、前記波形の描画を再開させる請求項１または２記載の波形表示装置。
【請求項４】
前記制御部は、前記波形描画処理の実行時において前記指示操作としての標識停止指示操作がされたときに、停止状態の前記標識を表示させ、前記停止状態の標識を表示させている状態において前記指示操作としての前進指示操作がされたときに、その操作量に対応する長さの前記記録時間が経過する分だけ前記標識を移動表示させ、前記停止状態の標識を表示させている状態において前記指示操作としての後退指示操作がされたときに、その操作量に対応する長さの前記記録時間が遡る分だけ前記標識を移動表示させる請求項１から３のいずれかに記載の波形表示装置。
【請求項５】
前記制御部は、前記指示操作としての描画状態保留指示操作がされた状態において前記前進指示操作または前記後退指示操作がされたときには、前記標識の移動軌跡に対応する前記波形の描画状態または非描画状態を変更することなく前記標識を移動表示させ、
前記指示操作としての描画状態変更指示操作がされた状態において前記前進指示操作または前記後退指示操作がされかつ当該操作に伴う前記標識の移動軌跡に対応する前記波形が描画されていないときには、当該移動軌跡分だけ前記波形を描画させ、前記標識の移動軌跡に対応する前記波形が描画されているときには、当該移動軌跡分だけ前記波形を消去させる請求項４記載の波形表示装置。
【発明の詳細な説明】
【技術分野】
【０００１】
本発明は、少なくとも１つの物理量をｘ座標軸とし他の１つの物理量をｙ座標軸とする平面内または空間内におけるその少なくとも２つの物理量によって特定される座標点を両物理量の記録時間の経過に対応させて複数プロットして得られる波形を表示可能な波形表示装置に関するものである。
【背景技術】
【０００２】
この種の波形表示装置として、特開平１−２８７４２０号公報において出願人が開示したｘ−ｙレコーダが知られている。このｘ−ｙレコーダは、２つのＡ／Ｄ変換器、タイマ、ＣＰＵ、メモリおよびディスプレイを備えて構成されている。このｘ−ｙレコーダでは、各Ａ／Ｄ変換器が２つのチャンネルの入力信号をそれぞれデジタル信号に変換し、ＣＰＵがそのデジタル信号をタイマに設定されているサンプリング間隔毎に取り込んで、メモリに記録（格納）させる。この場合、一方のチャンネルの入力信号のデジタル信号をｘ軸方向（ｘ座標）の位置データとしてメモリに記録させ、他方のチャンネルの入力信号のデジタル信号をｙ軸方向（ｙ座標）の位置データとしてメモリに記録させる。次いで、メモリに記録されている位置データが読み出されて、位置データに基づく波形（ｘ方向の位置データおよびｙ方向の位置データによって特定される座標点をプロットした波形：以下「ｘ−ｙ合成波形」ともいう）がディスプレイに表示される。
【特許文献１】特開平１−２８７４２０号公報（第２−３頁、第１図）
【発明の開示】
【発明が解決しようとする課題】
【０００３】
ところが、上記のｘ−ｙレコーダには、解決すべき以下の課題がある。すなわち、上記のｘ−ｙレコーダを含むこの種の波形表示装置を用いて長時間に亘って入力した入力信号に基づくｘ−ｙ合成波形を表示させたときには、図１０に示すように、ｘ−ｙ合成波形が輻輳してその形状を細部に亘って把握するのが困難となることがある。また、この種のｘ−ｙ合成波形には時間軸が存在しないため、座標点の経時変化（座標点と時間との関係）を把握するのも困難である。このような課題を解消すべく、出願人は、データ記録時の時間経過に沿ってｘ−ｙ合成波形の上を移動するカーソル（標識）１０２（同図参照）をｘ−ｙ合成波形と共に表示させる波形表示装置を既に開発している。しかしながら、この波形表示装置においても、ｘ−ｙ合成波形が輻輳しているときには、その形状を細部に亘って把握したり座標点の経時変化を把握したりするのが依然としてやや困難であり、この点の改善が望まれている。
【０００４】
本発明は、かかる改善すべき課題に鑑みてなされたものであり、波形の形状や座標点の経時変化を容易に把握し得る波形表示装置を提供することを主目的とする。
【課題を解決するための手段】
【０００５】
上記目的を達成すべく請求項１記載の波形表示装置は、複数種類の物理量の経時変化を示すデータを記録する記録部と、少なくとも前記各物理量の１つをｘ座標軸とし当該各物理量の他の１つをｙ座標軸とする平面内または空間内における当該少なくも２つの物理量によって特定される座標点を前記データの記録時間の経過に対応させて複数プロットして得られる波形を表示する表示部と、前記波形の表示に関する制御を行う制御部と、前記波形の表示に関する指示操作を行うための操作部とを備えた波形表示装置であって、前記表示部は、前記座標点を指し示す標識を表示可能に構成され、前記制御部は、前記指示操作としての波形描画指示操作がされたときに、その時点において前記表示部に表示されている前記波形を消去させると共に、前記記録時間の経過に伴う前記座標点の移動に追従させて前記標識を所定の速度で移動表示させかつ当該標識の移動軌跡に沿って前記波形を描画させる波形描画処理を実行する。
【０００６】
また、請求項２記載の波形表示装置は、請求項１記載の波形表示装置において、前記制御部は、前記波形描画処理の実行時において前記指示操作としての速度変更指示操作がされたときに、前記所定の速度を変更させる。
【０００７】
また、請求項３記載の波形表示装置は、請求項１または２記載の波形表示装置において、前記制御部は、前記波形描画処理の実行時において前記指示操作としての描画停止指示操作がされたときに、前記標識の移動表示を継続させた状態で当該描画停止指示操作がされた時点以降の前記波形の描画を停止させ、その状態において前記指示操作としての描画再開指示操作がされたときに、前記波形の描画を再開させる。
【０００８】
また、請求項４記載の波形表示装置は、請求項１から３のいずれかに記載の波形表示装置において、前記制御部は、前記波形描画処理の実行時において前記指示操作としての標識停止指示操作がされたときに、停止状態の前記標識を表示させ、前記停止状態の標識を表示させている状態において前記指示操作としての前進指示操作がされたときに、その操作量に対応する長さの前記記録時間が経過する分だけ前記標識を移動表示させ、前記停止状態の標識を表示させている状態において前記指示操作としての後退指示操作がされたときに、その操作量に対応する長さの前記記録時間が遡る分だけ前記標識を移動表示させる。
【０００９】
また、請求項５記載の波形表示装置は、請求項４記載の波形表示装置において、前記制御部は、前記指示操作としての描画状態保留指示操作がされた状態において前記前進指示操作または前記後退指示操作がされたときには、前記標識の移動軌跡に対応する前記波形の描画状態または非描画状態を変更することなく前記標識を移動表示させ、前記指示操作としての描画状態変更指示操作がされた状態において前記前進指示操作または前記後退指示操作がされかつ当該操作に伴う前記標識の移動軌跡に対応する前記波形が描画されていないときには、当該移動軌跡分だけ前記波形を描画させ、前記標識の移動軌跡に対応する前記波形が描画されているときには、当該移動軌跡分だけ前記波形を消去させる。
【発明の効果】
【００１０】
請求項１記載の波形表示装置によれば、波形描画指示操作がされたときに、制御部が波形描画処理を実行することにより、例えば、長時間に亘って記録した入力信号に基づく波形が輻輳した状態で表示されたときにこの波形描画処理を実行させることで、その波形が消去されたクリアな画面上に、座標点を指し示す標識が記録時間の時間経過に伴って移動表示されると共に、その移動軌跡に沿って波形が描画されるため、波形の形状を細部に亘って容易に把握することができる。また、この波形表示装置によれば、標識が記録時間の時間経過に伴って移動表示されるため、時間軸が存在しない例えばｘ−ｙ平面における座標点の経時変化を容易に把握することができる。
【００１１】
また、請求項２記載の波形表示装置によれば、制御部が、波形描画処理の実行時において速度変更指示操作がされたときに、標識の移動速度を変更させることにより、波形の輻輳状態や座標点の変化の激しさなどに応じて標識の移動速度を変更することで、波形の細部に亘っての形状や座標点の経時変化を一層容易に把握することができる。
【００１２】
また、請求項３記載の波形表示装置によれば、制御部が、波形描画処理の実行時において描画停止指示操作がされたときに、標識の移動表示を継続させた状態でその操作時点以降の波形の描画を停止させ、その状態において描画再開指示操作がされたときに、波形の描画を再開させることにより、例えば、既に描画されている波形と新たに描画される波形とが重なり合うことに起因して既に描画されている波形の形状の把握が困難となる事態を回避しつつ、座標点の経時変化を容易に把握することができる。
【００１３】
また、請求項４記載の波形表示装置によれば、制御部が、波形描画処理の実行時において標識停止指示操作がされたときに、停止状態の標識を表示させ、停止状態の標識を表示させている状態において前進指示操作がされたときに、その操作量に対応する長さの記録時間が経過する分だけ標識を移動表示させ、停止状態の標識を表示させている状態において後退指示操作がされたときに、その操作量に対応する長さの記録時間が遡る分だけ標識を移動表示させることにより、標識を繰り返して前進および後退させることで、波形の所望の部位における座標点の経時変化をさらに容易に把握することができる。
【００１４】
また、請求項５記載の波形表示装置によれば、制御部が、描画状態保留指示操作がされた状態において前進指示操作または後退指示操作がされたときには標識の移動軌跡に対応する波形の描画状態または非描画状態を変更することなく標識を移動表示させ、描画状態変更指示操作がされた状態において前進指示操作または後退指示操作がされたときには移動軌跡分だけ波形を描画または消去させることにより、前進指示操作および後退指示操作に伴う標識の前進および後退に合わせて波形における所望の部位の描画および消去を繰り返して行うことができるため、その部位の波形の形状をさらに容易に把握することができる。
【発明を実施するための最良の形態】
【００１５】
以下、本発明に係る波形表示装置の最良の形態について、添付図面を参照して説明する。
【００１６】
最初に、波形表示装置１の構成について、図面を参照して説明する。図１に示す波形表示装置１は、本発明に係る波形表示装置の一例であって、同図および図２に示すように、信号処理部１１、記録部１２、ＶＲＡＭ１３、表示部１４、操作部１５および制御部１６を備えて構成されている。
【００１７】
信号処理部１１は、例えば２種類の入力信号Ｓｉ１（一例として電圧信号）および入力信号Ｓｉ２（一例として電流信号。以下：両入力信号Ｓｉ１，Ｓｉ２を区別しないときには「入力信号Ｓｉ」ともいう）を入力可能に構成され、制御部１６の制御に従い、各入力信号Ｓｉ１，Ｓｉ２を信号処理（サンプリング処理）して波形データＤｗ１，Ｄｗ２（本発明における「物理量の経時変化を示すデータ」であって、以下、区別しないときには「波形データＤｗ」ともいう）を出力する。記録部１２は、制御部１６の制御に従い、信号処理部１１から出力された波形データＤｗを記録する。ＶＲＡＭ１３は、制御部１６によって生成される表示データＤｄを一時的に記憶する。表示部１４は、一例として、ＬＣＤで構成されて、制御部１６の制御に従い、例えば、図１に示す波形Ｗや、図３に示すマーカーＭを表示する。
【００１８】
ここで、波形Ｗは、２つの波形データＤｗ１，Ｄｗ２の値（本発明における物理量であって、この例では電圧値Ｖｍおよび電流値Ｉｍ）に基づく波形（例えば、リサージュ波形等）であって、図１に示すように、電圧値Ｖｍをｘ座標軸とし電流値Ｉｍをｙ座標軸とするｘ−ｙ平面内において、電圧値Ｖｍおよび電流値Ｉｍによって特定される座標点Ｐを波形データＤｗ１，Ｄｗ２の記録時間の経過に対応させて複数プロットして得られる。また、マーカーＭは、図３に示すように、上記した座標点Ｐを指し示すための標識として機能し、後述する波形描画（制御部１６によって実行される波形描画処理）の際に表示される。また、表示部１４は、制御部１６の制御に従い、図１に示す操作画像Ｇを表示する。
【００１９】
操作部１５は、図１に示すように、電源スイッチ２１、モード切替えキー２２、記録開始キー２３および記録終了キー２４等の波形の表示などに関する指示操作を行うための各種のスイッチやキー、並びにジョグダイヤル２５などを備えて構成され、これらが操作されたときに操作信号Ｓｏを出力する。また、この波形表示装置１では、同図に示すように、表示部１４における操作画像Ｇの表示部位の表面にタッチセンサ２６が配設されており、このタッチセンサ２６にタッチペン等が接触したときにも操作部１５が操作信号Ｓｏを出力する。
【００２０】
制御部１６は、操作部１５から出力される操作信号Ｓｏに従って波形表示装置１を構成する各部を制御する。具体的には、制御部１６は、信号処理部１１による信号処理を制御すると共に、記録部１２による波形データＤｗの記録や読み出し制御する。また、制御部１６は、各種の表示データＤｄ（後述する操作画像用表示データＤｄ１，全波形用表示データＤｄ２、マーカ用表示データＤｄ３および描画用表示データＤｄ４）をＶＲＡＭ１３内に生成する（記憶させる）と共に、その表示データＤｄを転送することにより、表示部１４による波形Ｗ、マーカーＭおよび操作画像Ｇなどの表示および表示停止（本発明における表示に関する制御）を制御する。
【００２１】
次に、波形表示装置１を用いて波形Ｗを表示させる方法、およびその際の波形表示装置１の動作について、図面を参照して説明する。この場合、信号処理部１１が、入力信号Ｓｉ１としての電圧信号、および入力信号Ｓｉ２としての電流信号を入力するものとする。
【００２２】
まず、操作部１５のモード切替えキー２２を操作して、波形表示装置１を記録モードに切り替えた後に、操作部１５の記録開始キー２３を操作する。この際に、制御部１６が、操作部１５から出力された操作信号Ｓｏに従って信号処理部１１を制御し、信号処理部１１が、制御部１６の制御に従い、入力信号Ｓｉ１を信号処理して生成した波形データＤｗ１、および入力信号Ｓｉ２を信号処理して生成した波形データＤｗ２を出力する。次いで、制御部１６は、信号処理部１１から出力された波形データＤｗ１，Ｄｗ２を記録部１２に記録させる。続いて、入力信号Ｓｉ１，Ｓｉ２の記録を終了する際には、操作部１５の記録終了キー２４を操作する。これに応じて、制御部１６は、信号処理部１１を制御して信号処理を停止させると共に、記録部１２を制御して波形データＤｗ１，Ｄｗ２の記録を終了させる。
【００２３】
次に、記録部１２に記録した波形データＤｗ１，Ｄｗ２に基づく波形Ｗを表示させる。具体的には、操作部１５のモード切替えキー２２を操作して、波形表示装置１を波形表示モードに切り替える。この際に、制御部１６が、操作画像Ｇを表示させるための表示データＤｄ（以下、「操作画像用表示データＤｄ１」ともいう）をＶＲＡＭ１３内に生成する（記憶させる）と共に、その操作画像用表示データＤｄ１を表示部１４に転送する。これにより、図１に示すように、表示部１４に操作画像Ｇが表示される。次いで、例えば、記録開始時点から記録終了時点までに亘る波形データＤｗ１，Ｄｗ２の値（電圧値Ｖｍおよび電流値Ｉｍ）に基づく波形Ｗの全てを表示部１４に一度に表示させるときには、同図に示す操作画像Ｇ内の「全波形表示」のアイコンＩ１（実際には、そのアイコンＩ１に対向するタッチセンサ２６の所定部位）を操作（タッチペンで接触）する。この際に、制御部１６が、操作部１５から出力された操作信号Ｓｏに従って全波形表示処理を実行する。
【００２４】
この全波形表示処理では、制御部１６は、記録部１２から波形データＤｗ１，Ｄｗ２を読み出す。続いて、制御部１６は、読み出した波形データＤｗ１，Ｄｗ２に基づいて波形Ｗ全体を表示させるための表示データＤｄ（以下、「全波形用表示データＤｄ２」ともいう）をＶＲＡＭ１３内に生成する。この場合、制御部１６は、一例として、次のようにして全波形用表示データＤｄ２を生成する。まず、制御部１６は、波形データＤｗ１，Ｄｗ２の記録開始時点（記録時間の先頭）における電圧値Ｖｍおよび電流値Ｉｍを波形データＤｗ１，Ｄｗ２に基づいて算出する。次いで、制御部１６は、電圧値Ｖｍをｘ座標軸とし電流値Ｉｍをｙ座標軸とするｘ−ｙ平面内における記録開始時点の座標点Ｐ（図１参照）を、算出した電圧値Ｖｍおよび電流値Ｉｍによって特定する。続いて、制御部１６は、特定した座標点Ｐに対応するＶＲＡＭ１３内のメモリアドレスに、所定の大きさのドットＤ（同図参照）を示すデータを書き込む（プロットする）。次いで、制御部１６は、このデータの書き込み処理（プロット処理）を波形データＤｗ１，Ｄｗ２の記録開始時点から記録終了時点までに亘って所定時間間隔（例えば、信号処理部１１による信号処理の際のサンプリング周期、またはそのサンプリング周期の数倍の周期）で行う。これにより、複数の座標点Ｐ（ドットＤ）をプロットすることによって得られる波形Ｗを表示可能な全波形用表示データＤｄ２がＶＲＡＭ１３内に生成される。
【００２５】
続いて、制御部１６は、全波形用表示データＤｄ２を表示部１４に転送する。これにより、図１に示すように、波形Ｗの全て（以下、「全波形Ｗａ」ともいう）が表示部１４に表示される。ここで、同図に示すように、表示された全波形Ｗａが輻輳しているときには、その形状を細部に亘って把握するのが困難である。また、波形Ｗが表示されているｘ−ｙ平面には、時間軸が存在しないため、座標点Ｐの経時変化を把握するのも困難である。このようなときには、波形Ｗの形状や座標点Ｐの経時変化を把握し易くするために、波形描画処理を波形表示装置１に行わせる。具体的には、図３に示す操作画像Ｇ内の「再生」のアイコンＩ２を操作する（本発明における波形描画指示操作）。この際に、制御部１６が、操作部１５から出力された操作信号Ｓｏに従って波形描画処理を実行する。
【００２６】
この波形描画処理では、制御部１６は、上記した全波形表示処理と同様にして記録部１２から読み出した波形データＤｗ１，Ｄｗ２に基づき、記録開始時点の座標点Ｐ（図３参照）を特定する。次いで、制御部１６は、ＶＲＡＭ１３内に生成した上記の全波形用表示データＤｄ２を消去した後に、マーカーＭ（同図参照）を表示させるための表示データＤｄ（以下、「マーカ用表示データＤｄ３」ともいう）を、マーカーＭの先端部が座標点Ｐに位置するようにＶＲＡＭ１３内に生成する。続いて、制御部１６は、マーカ用表示データＤｄ３を表示部１４に転送する。これにより、同図に示すように、全波形Ｗａが消去されると共に座標点Ｐを指し示すマーカーＭが表示部１４に表示される。
【００２７】
次いで、制御部１６は、座標点Ｐを特定する処理を波形データＤｗ１，Ｄｗ２の記録開始時点から所定時間間隔で行う。この場合、制御部１６は、座標点Ｐが移動する度に、その移動に追従してマーカーＭが所定の速度で移動するようにマーカ用表示データＤｄ３を更新してＶＲＡＭ１３に記憶させると共に、移動した座標点Ｐに対応するメモリアドレスにドットＤを示すデータを書き込むことによって波形描画用の表示データＤｄ（以下、「描画用表示データＤｄ４」ともいう）を更新してＶＲＡＭ１３に記憶させる。また、制御部１６は、更新したマーカ用表示データＤｄ３および描画用表示データＤｄ４を更新の度に表示部１４に転送する。これにより、図４に示すように、波形データＤｗ１，Ｄｗ２の記録開始時点からの時間経過に伴ってマーカーＭが所定の速度で移動表示されると共に、マーカーＭの移動軌跡に沿って波形Ｗが描画される。この場合、マーカーＭの移動表示、および波形Ｗの描画が行われることで、波形Ｗの形状を細部に亘って容易に把握することが可能となり、また、座標点Ｐの経時変化を容易に把握することも可能となる。
【００２８】
一方、この波形表示装置１では、上記した波形描画処理の実行時において、マーカーＭの移動表示の速度を変更することが可能となっている。この場合、例えば、マーカーＭの移動表示の速度を上昇させるときには、図４に示す操作画像Ｇ内の「高速」のアイコンＩ３を操作する（本発明における速度変更指示操作の一例）。この場合、制御部１６は、例えば、マーカ用表示データＤｄ３および描画用表示データＤｄ４を更新する時間間隔を短く設定する。これにより、マーカーＭの移動表示の速度が上昇し、それに伴って波形Ｗが描画される速度も上昇する。一方、マーカーＭの移動表示の速度を低下させるときには、同図に示す操作画像Ｇ内の「低速」のアイコンＩ４を操作する（本発明における速度変更指示操作の他の一例）。この場合、制御部１６は、例えば、マーカ用表示データＤｄ３および描画用表示データＤｄ４を更新する時間間隔を長く設定する。これにより、マーカーＭの移動表示の速度が低下し、それに伴って波形Ｗが描画される速度も低下する。
【００２９】
また、この波形表示装置１では、上記した波形描画処理の実行時において、表示部１４の画面に対してマーカーＭを上げ下げする感覚で、波形Ｗの描画を停止させたり再開させたりすることが可能となっている。具体的には、図５に示すように、波形描画処理の実行時における任意のタイミングで操作画像Ｇ内の「マーカーアップ」のアイコンＩ５を操作したときには（本発明における描画停止指示操作）、制御部１６が、マーカ用表示データＤｄ３の更新を継続した状態で描画用表示データＤｄ４の更新を停止する。これにより、図６に示すように、マーカーＭの移動表示が継続した状態で、アイコンＩ５の操作時点以降の波形Ｗの描画が停止される。また、波形Ｗの描画が停止した状態における任意のタイミングで、操作画像Ｇ内の「マーカーダウン」のアイコンＩ６を操作したときには（本発明における描画再開指示操作）、制御部１６が、描画用表示データＤｄ４の更新を再開する。これにより、図７に示すように、アイコンＩ６の操作時点以降の波形Ｗの描画が再開される。
【００３０】
また、この波形表示装置１では、上記した波形描画処理の実行時において、マーカーＭの移動を停止させて、その状態でジョグダイヤル２５を手動操作することによってマーカーＭを任意に前進または後退させることが可能となっている。具体的には、図７に示すように、波形描画処理の実行時における任意のタイミングで操作画像Ｇ内の「停止」のアイコンＩ７を操作したときには（本発明における標識停止指示操作）、制御部１６が、座標点Ｐを特定する処理、並びにマーカ用表示データＤｄ３および描画用表示データＤｄ４を更新する処理を停止する。これにより、同図に示すように、マーカーＭの移動が停止する（停止状態のマーカーＭが表示される）と共に、アイコンＩ７の操作時点以降の波形Ｗの描画が停止する。
【００３１】
続いて、マーカーＭの移動および波形Ｗの描画が停止されている状態において、図８に示すように、例えば、ジョグダイヤル２５を右回りに回転操作したときには（本発明における前進指示操作）、制御部１６がその操作量（回転量）に対応する長さの記録時間が経過する分だけ、座標点Ｐを特定する処理、並びにマーカ用表示データＤｄ３および描画用表示データＤｄ４を更新する処理を実行する。これにより、同図に示すように、ジョグダイヤル２５の操作量に対応する記録時間が経過する分だけマーカーＭが移動表示される。
【００３２】
この場合、制御部１６は、「マーカーダウン」のアイコンＩ６が操作（本発明における描画状態変更指示操作）された状態においてジョグダイヤル２５が右回りに回転操作され、その際に回転操作に伴うマーカーＭの移動軌跡に対応する波形Ｗが描画されていないときには、操作量に対応する長さの記録時間が経過する分だけ描画用表示データＤｄ４を更新する処理を実行することにより、同図に示すように、マーカーＭの移動軌跡に沿って（移動軌跡分だけ）波形Ｗを描画させ、マーカーＭの移動軌跡に対応する波形Ｗが描画されているときには、移動した座標点Ｐに対応するメモリアドレスのデータを消去して描画用表示データＤｄ４を更新することにより、マーカーＭの移動軌跡に沿って（移動軌跡分だけ）波形Ｗを消去させる。また、制御部１６は、「マーカーアップ」のアイコンＩ５が操作（本発明における描画状態保留指示操作）された状態においてジョグダイヤル２５が右回りに回転操作されたときには、マーカーＭの移動軌跡に対応する波形Ｗの描画状態または非描画状態を変更することなく（つまり、マーカーＭの移動軌跡に沿った波形Ｗの描画や消去を行うことなく）マーカーＭを移動表示させる。
【００３３】
一方、図９に示すように、ジョグダイヤル２５を左回りに回転操作したときには（本発明における後退指示操作）、制御部１６がその操作量（回転量）に対応する長さの記録時間が遡る分だけ座標点Ｐを遡って特定し、その座標点Ｐの移動（記録時間が遡る向きの移動）に追従してマーカーＭが移動するようにマーカ用表示データＤｄ３を更新する。これにより、同図に示すように、ジョグダイヤル２５の操作量に対応する長さの記録時間が遡る分だけマーカーＭが移動表示される。
【００３４】
この場合、制御部１６は、「マーカーダウン」のアイコンＩ６が操作（本発明における描画状態変更指示操作）された状態においてジョグダイヤル２５が左回りに回転操作され、その際に回転操作に伴うマーカーＭの移動軌跡に対応する波形Ｗが描画されているときには、移動した座標点Ｐに対応するメモリアドレスのデータを消去して描画用表示データＤｄ４を更新することにより、同図に示すように、マーカーＭの移動軌跡に沿って（移動軌跡分だけ）波形Ｗを消去させ、マーカーＭの移動軌跡に対応する波形Ｗが描画されていないときには、操作量に対応する長さの記録時間が遡る分だけ描画用表示データＤｄ４を更新する処理を実行することにより、マーカーＭの移動軌跡に沿って（移動軌跡分だけ）波形Ｗを描画させる。また、制御部１６は、「マーカーアップ」のアイコンＩ５が操作（本発明における描画状態保留指示操作）された状態においてジョグダイヤル２５が左回りに回転操作されたときには、マーカーＭの移動軌跡に対応する波形Ｗの描画状態または非描画状態を変更することなく（つまり、マーカーＭの移動軌跡に沿った波形Ｗの描画や消去を行うことなく）マーカーＭを移動表示させる。
【００３５】
この場合、この波形表示装置１では、ジョグダイヤル２５を手動操作することでマーカーＭの任意の移動（前進および後退）が可能となっている。このため、マーカーＭを繰り返して前進および後退させることで、波形Ｗにおける所望の部位における座標点Ｐの経時変化をさらに容易に把握することが可能となっている。また、アイコンＩ５，Ｉ６の操作とジョグダイヤル２５の操作とを組み合わせることで、ジョグダイヤル２５の操作に伴うマーカーＭの前進および後退に合わせて波形Ｗにおける所望の部位の描画および消去を繰り返して行うことができるため、その部位の波形Ｗの形状をさらに容易に把握することが可能となっている。
【００３６】
また、この波形表示装置１では、上記した波形描画処理の実行時において、図９に示す操作画像Ｇ内の「波形クリア」のアイコンＩ８を操作することで、マーカーＭの表示を継続した状態で、操作時点において表示部１４に描画されている波形Ｗを消去することが可能となっている。さらに、この波形表示装置１では、上記した波形描画処理の実行時において、同図に示す操作画像Ｇ内の「先頭へ」のアイコンＩ９を操作することで、記録開始時点における座標点Ｐを指し示す位置にマーカーＭを移動させ、同図に示す操作画像Ｇ内の「最後へ」のアイコンＩ１０を操作することで、記録終了時点における座標点Ｐを指し示す位置にマーカーＭを移動させることが可能となっている。
【００３７】
このように、この波形表示装置１によれば、アイコンＩ２が操作されたときに、波形描画処理を実行することにより、例えば、長時間に亘って記録した入力信号に基づく波形Ｗが輻輳した状態で表示されたときにこの波形描画処理を実行させることで、その波形Ｗが消去されたクリアな画面上に、座標点Ｐを指し示すマーカーＭが記録時間の時間経過に伴って移動表示されると共に、その移動軌跡に沿って波形Ｗが描画されるため、波形Ｗの形状を細部に亘って容易に把握することができる。また、この波形表示装置１によれば、マーカーＭが記録時間の時間経過に伴って移動表示されるため、時間軸が存在しないｘ−ｙ平面における座標点Ｐの経時変化を容易に把握することができる。
【００３８】
また、この波形表示装置１によれば、波形描画処理の実行時においてアイコンＩ３，Ｉ４が操作がされたときに、マーカーＭの移動速度を変更させることにより、波形Ｗの輻輳状態や座標点Ｐの変化の激しさなど応じてマーカーＭの移動速度を変更することで、波形Ｗの細部に亘っての形状や座標点Ｐの経時変化を一層容易に把握することができる。
【００３９】
また、この波形表示装置１によれば、波形描画処理の実行時においてアイコンＩ５が操作がされたときにマーカーＭの移動表示を継続した状態でその操作時点以降の波形Ｗの描画を停止させると共に、その状態においてアイコンＩ６が操作されたときに波形Ｗの描画を再開させることにより、例えば、既に描画されている波形Ｗと新たに描画される波形Ｗとが重なり合うことに起因して既に描画されている波形Ｗの形状の把握が困難となる事態を回避しつつ、座標点Ｐの経時変化を容易に把握することができる。
【００４０】
また、この波形表示装置１によれば、波形描画処理の実行時においてアイコンＩ７が操作されたときにマーカーＭを停止させ、マーカーＭの停止状態においてジョグダイヤル２５が右回りに回転操作されたときにその操作量に対応する記録時間が経過する分だけマーカーＭを移動表示させ、マーカーＭの停止状態においてジョグダイヤル２５が左回りに回転操作されたときにその操作量に対応する記録時間が遡る分だけマーカーＭを移動表示させることにより、マーカーＭを繰り返して前進および後退させることで、波形Ｗの所望の部位における座標点Ｐの経時変化をさらに容易に把握することができる。
【００４１】
また、この波形表示装置１によれば、アイコンＩ５が操作された状態においてジョグダイヤル２５が左回りまたは右回りに回転操作されたときにはマーカーＭの移動軌跡に対応する波形Ｗの描画状態または非描画状態を変更することなく（つまり、マーカーＭの移動軌跡に沿った波形Ｗの描画や消去を行うことなく）マーカーＭを移動表示させ、アイコンＩ６が操作された状態においてジョグダイヤル２５が左回りまたは右回りに回転操作されたときにはマーカーＭの移動軌跡分だけ波形Ｗを描画または消去させることにより、ジョグダイヤル２５の操作に伴うマーカーＭの前進および後退に合わせて波形Ｗにおける所望の部位の描画および消去を繰り返して行うことができるため、その部位の波形Ｗの形状をさらに容易に把握することができる。
【００４２】
なお、本発明は、上記の構成に限定されない。例えば、電圧信号および電流信号に基づく波形Ｗについての描画処理を実行する例について上記したが、描画処理の対象の波形Ｗはこれに限定されない。例えば、温度（本発明における物理量）の経時変化を示す入力信号と電圧信号とに基づく波形Ｗや、磁界（本発明における物理量）の経時変化を示す入力信号と電流信号とに基づく波形Ｗなどの各種の波形Ｗについての描画処理を実行することができる。また、１つ（１種類）の波形Ｗだけを表示部１４に描画する例について上記したが、２つ（２種類）以上の波形Ｗを表示部１４に同時に描画する構成を採用することもできる。
【００４３】
さらに、１つの物理量をｘ座標軸とし他の１つの物理量をｙ座標軸とするｘ−ｙ平面内にその２つの物理量よって特定される座標点Ｐをデータの記録時間の経過に対応させて複数プロットして得られる波形データＤｗを描画（表示）させる波形表示装置１に適用した例について上記したが、上記の２つの物理量とは異なる３つ目の物理量をｚ座標軸として、このｚ座標軸と上記のｘ座標軸およびｙ座標軸とからなる空間内（３次元空間内）におけるこれらの３つの物理量によって特定される座標点を記録時間の経過に対応させて複数プロットして得られる波形を表示する波形表示装置に適用することもできる。
【図面の簡単な説明】
【００４４】
【図１】波形表示装置１の正面図である。
【図２】波形表示装置１の構成を示すブロック図である。
【図３】波形描画処理の方法を説明するための第１の説明図である。
【図４】波形描画処理の方法を説明するための第２の説明図である。
【図５】波形描画処理の方法を説明するための第３の説明図である。
【図６】波形描画処理の方法を説明するための第４の説明図である。
【図７】波形描画処理の方法を説明するための第５の説明図である。
【図８】波形描画処理の方法を説明するための第６の説明図である。
【図９】波形描画処理の方法を説明するための第７の説明図である。
【図１０】従来の波形表示方法を説明するための説明図である。
【符号の説明】
【００４５】
１  波形表示装置
１２  記録部
１４  表示部
１５  操作部
１６  制御部
２５  ジョグダイヤル
２６  タッチセンサ
Ｇ  操作画像
Ｉ１〜Ｉ１０  アイコン
Ｉｍ  電流値
Ｍ  マーカー
Ｐ  座標点
Ｖｍ  電圧値
Ｗ  波形
【図１】
0005306692.tif 000002
【図２】
0005306692.tif 000003
【図３】
0005306692.tif 000004
【図４】
0005306692.tif 000005
【図５】
0005306692.tif 000006
【図６】
0005306692.tif 000007
【図７】
0005306692.tif 000008
【図８】
0005306692.tif 000009
【図９】
0005306692.tif 000010
【図１０】
0005306692.tif 000011